(57)【要約】【課題】筐体に内側から取り付けられるとともに、止水部材の上方に水が溜まることを抑制することができる中継コネクタ、該中継コネクタを備えた中継コネクタユニット、及び、前記中継コネクタを備えた中継コネクタ付筐体を提供する。【解決手段】固定部２１が筐体１００の内面側に固定されるとともに突出部２３が開口部１０２よりも小径であることから、中継コネクタ２を筐体１００の内側から取り付けることができる。また、突出部２３の外周面である平坦面２３２に傾斜面２３４Ａが形成されていることで、水が傾斜面２３４Ａに沿って開口部１０２の外側に向かって流れ、開口部１０２の内縁と挿通部２２との境界部２００に向かいにくい。従って、突出部２３が開口部１０２よりも小径であっても、Ｏリング２４の上方の溝に水が溜まることを抑制することができる。【選択図】図２
2018147625.tif 000002
【特許請求の範囲】
【請求項１】
車載装置の筐体における上板に形成された開口部から外側に突出し、相手方コネクタと嵌合する中継コネクタであって、
前記筐体の内面側に固定される固定部と、
前記固定部から上方に延びて前記開口部に挿通されるとともに周囲に止水部材が設けられる挿通部と、
前記挿通部に連なり前記筐体の外側に突出するとともに前記開口部よりも小径な突出部と、を備え、
前記突出部の外周面における少なくとも一部には、前記開口部の開口中央に向かうにしたがって上方に向かうように傾斜した傾斜面が形成されていることを特徴とする中継コネクタ。
【請求項２】
前記突出部の外周面には、前記相手方コネクタを係止する係止突起が設けられ、
前記係止突起の下方に前記傾斜面が配置されていることを特徴とする請求項１に記載の中継コネクタ。
【請求項３】
請求項１又は２に記載の中継コネクタと、前記相手方コネクタと、を備えた中継コネクタユニットであって、
前記相手方コネクタは、前記突出部を収容するように筒状に形成されるとともに、前記内縁と前記挿通部との境界部を上方から覆うように前記中継コネクタと嵌合することを特徴とする中継コネクタユニット。
【請求項４】
請求項１又は２に記載の中継コネクタと、前記筐体と、を備えたコネクタ付筐体であって、
前記上板の上面には、前記開口部の周囲に、開口中央に向かうにしたがって上方に向かうように傾斜した開口傾斜面が形成されていることを特徴とする中継コネクタ付筐体。
【発明の詳細な説明】
【技術分野】
【０００１】
本発明は、中継コネクタ、中継コネクタユニットおよび中継コネクタ付筐体に関するものである。
【背景技術】
【０００２】
一般に、車載装置（例えば、エンジンやミッション、モータ、ギアボックス等）の筐体が車両に搭載されることがあり、このような筐体には、内部に電力を供給したり信号を送信したりするための中継コネクタが設けられる。筐体には中継コネクタを設けるための開口部が形成され、この開口部の内周には防水のために止水部材が設けられる。しかしながら、中継コネクタが筐体上面から突出する場合には、止水部材によって筐体内部への浸水を防ぐことはできるものの、止水部材の上方に水が溜まりやすく、水に含まれる金属イオンによって塩害が生じてしまう可能性があった。
【０００３】
そこで、筐体に設けられる中継コネクタとして、フランジ部を備えたものが提案されている（例えば、特許文献１参照）。特許文献１に記載された中継コネクタでは、開口部の内周に止水部材としてのＯリングを設けるとともに、フランジ部によって筐体の開口部を上方から覆うことにより、止水性能の向上を図っている。
【先行技術文献】
【特許文献】
【０００４】
【特許文献１】特開２０１２−１５１０２９号公報
【発明の概要】
【発明が解決しようとする課題】
【０００５】
しかしながら、特許文献１に記載された中継コネクタでは、フランジ部を開口部よりも大径に形成しなければならないことから、筐体に対して外側からしか取り付けることができない。筐体の外側から取り付けられる中継コネクタでは、コネクタ全体が大型化しやすいとともに、外部に露出する部分（特にボルト等の固着部材）が多くなり、この露出した部分が塩害等によって劣化しやすいという不都合があった。
【０００６】
そこで、フランジ部を開口部よりも小径に形成したり、フランジ部を省略したりすれば中継コネクタを筐体の内側から取り付けることができるものの、フランジ部による止水効果を充分に得ることができず、上記のように、止水部材の上方に溜まった水による塩害が生じてしまう可能性がある。
【０００７】
本発明の目的は、筐体に内側から取り付けられるとともに、止水部材の上方に水が溜まることを抑制することができる中継コネクタ、該中継コネクタを備えた中継コネクタユニット、及び、前記中継コネクタを備えた中継コネクタ付筐体を提供することにある。
【課題を解決するための手段】
【０００８】
前記課題を解決し目的を達成するために、請求項１に記載された発明は、車載装置の筐体における上板に形成された開口部から外側に突出し、相手方コネクタと嵌合する中継コネクタであって、前記筐体の内面側に固定される固定部と、前記固定部から上方に延びて前記開口部に挿通されるとともに周囲に止水部材が設けられる挿通部と、前記挿通部に連なり前記筐体の外側に突出するとともに前記開口部よりも小径な突出部と、を備え、前記突出部の外周面における少なくとも一部には、前記開口部の開口中央に向かうにしたがって上方に向かうように傾斜した傾斜面が形成されていることを特徴とする中継コネクタである。
【０００９】
請求項２に記載された発明は、請求項１に記載の発明において、前記突出部の外周面には、前記相手方コネクタを係止する係止突起が設けられ、前記係止突起の下方に前記傾斜面が配置されていることを特徴とするものである。
【００１０】
請求項３に記載された発明は、請求項１又は２に記載の中継コネクタと、前記相手方コネクタと、を備えた中継コネクタユニットであって、前記相手方コネクタは、前記突出部を収容するように筒状に形成されるとともに、前記内縁と前記挿通部との境界部を上方から覆うように前記中継コネクタと嵌合することを特徴とする中継コネクタユニットである。
【００１１】
請求項４に記載された発明は、請求項１又は２に記載の中継コネクタと、前記筐体と、を備えたコネクタ付筐体であって、前記上板の上面には、前記開口部の周囲に、開口中央に向かうにしたがって上方に向かうように傾斜した開口傾斜面が形成されていることを特徴とする中継コネクタ付筐体である。
【発明の効果】
【００１２】
請求項１記載の発明によれば、固定部が筐体の内面側に固定されるとともに突出部が開口部よりも小径であることから、中継コネクタを筐体の内側から取り付けることができる。また、突出部の外周面に傾斜面が形成されていることで、外周面を伝って下方に落下しようとする水は、傾斜面に沿って開口部外側に向かって流れ、開口部の内縁と挿通部との境界部に向かいにくい。従って、突出部が開口部よりも小径であっても、止水部材の上方に水が溜まることを抑制することができる。
【００１３】
請求項２記載の発明によれば、係止突起の下方に傾斜面が配置されていることで、止水部材の上方に水が溜まることを効果的に抑制することができる。即ち、相手方コネクタには係止突起に係止される係止アーム等の被係止部が設けられるが、被係止部が設けられた位置においては、開口部の内縁と挿通部との境界部が、相手方コネクタによって上方から覆われにくい。そこで、被係止部が設けられる位置に対応して傾斜面を形成することにより、境界部に水が向かうことをさらに抑制することができる。
【００１４】
請求項３記載の発明によれば、筒状の相手方コネクタによって境界部を上方から覆うことで、止水部材の上方に水が溜まることをさらに抑制することができる。
【００１５】
請求項４記載の発明によれば、筐体の上面に開口傾斜面が形成されていることで、上記のように傾斜面に沿って開口部外側に向かって流れた水が筐体の上面に落下した際に、開口部側に向かって流れることを抑制することができる。
【図面の簡単な説明】
【００１６】
【図１】本発明の実施形態に係る中継コネクタ付筐体に相手方コネクタが取り付けられた様子を示す斜視図である。
【図２】前記中継コネクタ付筐体を示す斜視図である。
【図３】前記中継コネクタ付筐体および前記相手方コネクタを示す側面図である。
【図４】前記中継コネクタ付筐体の要部を示す断面図である。
【図５】前記中継コネクタ付筐体の中継コネクタを示す正面図である。
【図６】前記中継コネクタ付筐体に前記相手方コネクタが取り付けられた様子を示す上面図である。
【図７】前記中継コネクタ付筐体を示す上面図である。
【発明を実施するための形態】
【００１７】
以下、本発明の実施形態を図面に基づいて説明する。図１は、本発明の実施形態に係る中継コネクタ付筐体１に相手方コネクタ３が取り付けられた様子を示す斜視図であり、図２は、中継コネクタ付筐体１を示す斜視図であり、図３は、中継コネクタ付筐体１および相手方コネクタ３を示す側面図であり、図４は、中継コネクタ付筐体１の要部を示す断面図であり、図５は、中継コネクタ付筐体１の中継コネクタ２を示す正面図であり、図６は、中継コネクタ付筐体１に相手方コネクタ３が取り付けられた様子を示す上面図であり、図７は、中継コネクタ付筐体１を示す上面図である。
【００１８】
本実施形態の中継コネクタ付筐体１は、図１〜３に示すように、中継コネクタ２と、車載装置の筐体１００と、を備え、雄コネクタである中継コネクタ２が雌コネクタである相手方コネクタ３と嵌合する。中継コネクタ２と相手方コネクタ３とが中継コネクタユニット１０を構成する。尚、本実施形態においては、上下方向をＺ方向とし、Ｚ方向に直交する２方向をそれぞれＸ方向およびＹ方向とする。Ｘ方向およびＹ方向は、例えば車両の前後方向や幅方向であればよい。
【００１９】
筐体１００は、例えばギアボックス等の車載装置における収容物を収容するものであって、例えばアルミニウム等の金属によって箱状に形成されている。尚、図１には箱状の筐体１００のうち上板１０１のみを図示している。上板１０１には、開口部１０２が形成されている。開口部１０２は、中継コネクタ２の外周形状に応じた開口形状を有している。尚、図示の例では中継コネクタ２の一部（後述する挿通部２２）を収容したり、後述する固着部材４を固定したりするために、開口部１０２の周囲において上板１０１が上方に凸に膨出しているが、このような膨出部は形成されていなくてもよい。
【００２０】
上板１０１の上面１０１Ａには、図３、４に示すように、開口部１０２の周囲に、開口中央に向かうにしたがって上方に向かうように傾斜した開口傾斜面１０３が形成されている。開口傾斜面１０３の形状は、開口部１０２の中心を頂点とした円錐の一部である。
【００２１】
中継コネクタ２は、図５にも示すように、筐体１００の内面側に固定される固定部２１、固定部２１から上方に延びて開口部１０２に挿通される挿通部２２、及び、筐体１００の外側に突出する突出部２３によって構成されるコネクタ本体２０と、止水部材としてのＯリング２４と、を備える。コネクタ本体２０は、例えば合成樹脂によって全体が一体に形成され、その内側に端子金具が収容される。
【００２２】
固定部２１は、板状に形成されるとともに上板１０１の下面に重ねられ、ボルト等の固着部材４によって上板１０１に固定される。即ち、固定部２１および固着部材４は筐体１００の内側に収容される。尚、本実施形態では、Ｘ方向において挿通部２２および突出部２３を挟むような２箇所で固定部２１が上板１０１に固定されるが、固定部は適宜に箇所で上板１０１に固定されればよい。
【００２３】
挿通部２２は、板状の固定部２１から上方に突出するように筒状に形成されている。挿通部２２は突出部２３と連続的に形成されているが、これらのうち固定部２１の上面よりも上方であり、且つ、上面１０１Ａのうち開口部１０２の周囲よりも下方の部分を挿通部２２とする。挿通部２２には他の部分よりも縮径されたくびれ部２２１が形成され、このくびれ部２２１の周囲にＯリング２４が設けられる。Ｏリング２４が挿通部２２と開口部１０２の内縁との両方に当接し、これらの間の境界部２００が止水されるようになっている。また、Ｏリング２４が上面１０１Ａのうち開口部１０２の周囲よりも下方に設けられるため、Ｏリング２４と挿通部２２と開口部１０２の内縁とによって、上方に開口した凹状の溝が形成されている。
【００２４】
突出部２３は、挿通部２２に連なってさらに上方に延びるとともに、四角筒状に形成され、開口部１０２を通過可能なように、開口部１０２よりも小径となっている。尚、「開口部よりも小径」とは、ＸＹ平面において、突出部２３の各部の寸法が、開口部１０２の対応する各部の寸法よりも小さいことを意味し、開口部および突出部が平面視円形であることを限定するものではない。中継コネクタ２が筐体１００に組み付けられると、突出部２３が筐体１００の外側に突出する。
【００２５】
四角筒状の突出部２３の外周面のうち一面は、平坦面２３２となっており、平坦面２３２からは、相手方コネクタ３を係止する係止突起２３１が突出している。また、突出部２３の外周面には、突出方向（Ｚ方向）に沿って延びる複数のリブ２３３が形成されている。
【００２６】
平坦面２３２のうち係止突起２３１の下方には、外側に突出した導水部２３４が形成されている。導水部２３４の上面は、開口中央に向かうにしたがって上方に向かうように傾斜した傾斜面２３４Ａとなっている。図示の例では、導水部２３４の下面が上板１０１の上面１０１Ａ（後述する開口傾斜面１０３）よりも上方に位置しているが、傾斜面２３４Ａの下端が上面１０１Ａよりも充分に高い位置に配置されていればよく、導水部の下面は、上面１０１Ａと同程度の高さに配置されていてもよいし、低く配置されていてもよい。また、傾斜面２３４Ａの下端は、開口部１０２の内縁に沿った位置（即ち上面１０１Ａの近傍）に配置されていることが好ましい。
【００２７】
相手方コネクタ３は、中継コネクタ２の突出部２３を収容するように四角筒状に形成されたコネクタ本体３０を備える。コネクタ本体３０は、例えば合成樹脂によって構成され、その内側に端子金具が収容される。
【００２８】
四角筒状のコネクタ本体３０を構成する１つの側面３１には、中継コネクタ２の係止突起２３１によって係止される係止アーム３１１が設けられている。係止アーム３１１は、Ｚ方向に沿って延び、中継コネクタ２との嵌合時に、その下端部が外側に向かうように撓み変形し、係止突起２３１を乗り越えることで元の形状に復元して係止される。
【００２９】
四角筒状のコネクタ本体３０を構成する側面３２〜３４は、図６、７に示すように、中継コネクタ２と相手方コネクタ３とが嵌合した際に、開口部１０２の内縁と中継コネクタ２の挿通部２２との境界部２００を上方から覆う。これに対し、係止アーム３１１が設けられた側面３１には、上方から見て隙間が形成されており、境界部２００を完全には覆わない。また、この側面３１を側方から見た場合にも隙間が形成されており、突出部２３の平坦面２３２が見えるようになっている。
【００３０】
以上のような中継コネクタ付筐体１は、中継コネクタ２が設けられた上板１０１を上方に向けて車両に搭載され、中継コネクタ２と相手方コネクタ３とが嵌合する。このとき、例えば車両が走行することで路面の水が跳ね上げられ、中継コネクタ付筐体１および相手方コネクタ３に対して水が降り注ぐことがある。このような場合の水の流れについて以下に説明する。
【００３１】
相手方コネクタ３における側面３２〜３４に対して側方から水が降り注いだ場合、水は側面３２〜３４を伝って落下する。さらに、側面３２〜３４から上板１０１の上面１０１Ａに落下した水は、開口傾斜面１０３を伝って開口部１０２から離れるように下方に排水される。
【００３２】
相手方コネクタ３における係止アーム３１１が設けられた側面３１に対して側方から水が降り注いだ場合、この側面３１には隙間が形成されているため、一部の水は平坦面２３２まで到達する。この水は平坦面２３２を伝って落下しようとするが、導水部２３４に到達した際に、傾斜面２３４Ａに沿って開口部１０２の外側に向かって流れ、上板１０１の上面１０１Ａに落下した後、上記と同様に開口傾斜面１０３を伝って排水される。
【００３３】
中継コネクタ付筐体１および相手方コネクタ３に対して上方から水が降り注いだ場合、側面３２〜３４においては上記と同様にこれらの側面を伝って排水され、側面３１においては上記と同様に平坦面２３２を伝った水が傾斜面２３４Ａに沿って流れることで排水される。
【００３４】
このような本実施形態によれば、以下のような効果がある。即ち、固定部２１が筐体１００の内面側に固定されるとともに突出部２３が開口部１０２よりも小径であることから、中継コネクタ２を筐体１００の内側から取り付けることができる。また、突出部２３の外周面である平坦面２３２に傾斜面２３４Ａが形成されていることで、水が傾斜面２３４Ａに沿って開口部１０２の外側に向かって流れ、開口部１０２の内縁と挿通部２２との境界部２００に向かいにくい。従って、突出部２３が開口部１０２よりも小径であっても、Ｏリング２４の上方の溝に水が溜まることを抑制することができる。
【００３５】
また、係止突起２３１の下方に傾斜面２３４Ａが配置されていることで、相手方コネクタ３における係止アーム３１１が設けられた側面３１が境界部２００を上方から覆っていなくても、境界部２００に水が向かうことを抑制し、Ｏリング２４の上方の溝に水が溜まることを効果的に抑制することができる。
【００３６】
また、相手方コネクタ３の側面３２〜３４によって境界部２００を上方から覆うことで、Ｏリング２４の上方の溝に水が溜まることをさらに抑制することができる。
【００３７】
また、筐体１００の上板１０１の上面１０１Ａに開口傾斜面１０３が形成されていることで、傾斜面２３４Ａや側面３２〜３４を伝って流れる水が上面１０１Ａに落下した際に、開口部１０２側に向かって流れることを抑制することができる。
【００３８】
なお、本発明は、前記実施形態に限定されるものではなく、本発明の目的が達成できる他の構成等を含み、以下に示すような変形等も本発明に含まれる。
【００３９】
例えば、前記実施形態では、突出部２３の外周面のうち係止突起２３１の下方に傾斜面２３４Ａが配置されるものとしたが、相手方コネクタの形状等に応じた適宜な位置に傾斜面が配置されていればよい。また、突出部の外周面のうち少なくとも一部に傾斜面が形成されていればよく、外周面の全周に亘って傾斜面が形成されていてもよい。
【００４０】
また、前記実施形態では、相手方コネクタ３の側面３２〜３４によって境界部２００が上方から覆われるものとしたが、上記のように突出部の外周面の全周に亘って傾斜面が形成される場合には、相手方コネクタの側面によって境界部２００が覆われなくてもよい。
【００４１】
また、前記実施形態では、筐体１００の上板１０１の上面１０１Ａに開口傾斜面１０３が形成されているものとしたが、例えば傾斜面２３４Ａを伝った水が開口部１０２の外側に向かって勢いよく流れることで、上面１０１Ａに落下した水が開口部１０２に向かいにくいような構成であれば、開口傾斜面１０３は形成されていなくてもよい。
【００４２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４３】
１          中継コネクタ付筐体
２          中継コネクタ
２１        固定部
２２        挿通部
２３        突出部
２３１      係止突起
２３４Ａ    傾斜面
２４        Ｏリング（止水部材）
３          相手方コネクタ
１００      筐体
１０１      上板
１０１Ａ    上面
１０２      開口部
１０３      開口傾斜面
２００      境界部
１０        中継コネクタユニット
【図１】
2018147625.tif 000003
【図２】
2018147625.tif 000004
【図３】
2018147625.tif 000005
【図４】
2018147625.tif 000006
【図５】
2018147625.tif 000007
【図６】
2018147625.tif 000008
【図７】
2018147625.tif 000009